(57)【要約】【課題】構造が簡単で安価に構成することができ、通常時には保守点検等の管理を必要とすることなく、壁部の開口部を閉鎖状態に保持することができるとともに、必要時には開口部を容易に開放させることができる建築物の外壁構造を提供する。【解決手段】建築物の壁部１４に形成された開口部１５に開口枠１６を固定する。開口枠１６の内側を閉鎖するように、開口枠１６内に複数の外壁パネル２９を着脱可能に取り付ける。開口枠１６の内周縁と外壁パネル２９の外周縁との間には防水材を介在させる。建築物内に機械の搬入出等を行う場合には、開口枠１６から外壁パネル２９を取り外して、開口枠１６の内側を開放させる。【選択図】図１
2011184986.tif 000002
【特許請求の範囲】
【請求項１】
建築物の壁部に形成された開口部に開口枠を固定し、その開口枠の内側を閉鎖するように、開口枠内に複数の外壁パネルを着脱可能に取り付けたことを特徴とする建築物の外壁構造。
【請求項２】
前記開口枠の内周縁と外壁パネルの外周縁との間に防水手段を介在させたことを特徴とする請求項１に記載の建築物の外壁構造。
【請求項３】
前記開口枠の対向する枠部間に前記外壁パネルの長さ方向と交差する方向に延びる下地材を着脱可能に架設し、その下地材に各外壁パネルを長さ方向の中間部において着脱可能に固定したことを特徴とする請求項１または２に記載の建築物の外壁構造。
【請求項４】
前記複数の外壁パネルを、隣接対応する側端縁において互いに着脱可能に連結したことを特徴とする請求項１〜請求項３のうちのいずれか一項に記載の建築物の外壁構造。
【請求項５】
前記外壁パネルの側端縁の連結部間に防水手段を介在させたことを特徴とする請求項４に記載の建築物の外壁構造。
【発明の詳細な説明】
【技術分野】
【０００１】
この発明は、建築物の外壁構造に係り、特に建築物の壁部に大型機械の搬入出等を行うための開口部を形成した外壁構造に関するものである。
【背景技術】
【０００２】
従来、工場やショッピングセンタ等の建築物においては、建築物の内部に大型機械や大型設備を搬入出するために、建築物の壁部に大きな開口部を形成することが多い。この場合、開口部には開閉可能なシャッタを備えたシャッタ装置が設けられる。そして、機械等の搬入出を行わない通常時には、シャッタにより開口部が閉鎖され、建築物の内部に大型機械や大型設備を搬入出する場合には、シャッタが開放動作されて、開口部が開放されるようになっている。
【０００３】
なお、この種の建築物の外壁構造について、国際分類Ｅ０６Ｂ１／５６を調査した結果、本願発明の出願時の技術水準を示すものとして、特許文献１及び特許文献２に開示されるような構成が見付かった。しかしながら、これらの特許文献に開示された技術的構成は、いずれも本願発明の構成に直接に関連するものではない。
【先行技術文献】
【特許文献】
【０００４】
【特許文献１】特開２００３−１８４４３８号公報
【特許文献２】実用新案登録第３１５０３７３号公報
【発明の概要】
【発明が解決しようとする課題】
【０００５】
ところで、前述した従来の建築物の外壁構造のように、壁部の開口部にシャッタ装置を設けて、開口部を開閉可能に構成した場合でも、大型機械等の搬入出のために開口部を開放する必要があるのは、数年に一度程度の割合であることが多い。それにも拘らず、シャッタ装置が高価であるとともに、シャッタ装置の保守点検等の管理を定期的に行う必要があるため、無用な経費や労力を要するという問題があった。ちなみに、シャッタ装置の保守点検等の管理を怠ると、シャッタ等が錆び付いて開放不能に陥るおそれがある。
【０００６】
また、この従来構成の開口部に設けられたシャッタ装置のシャッタは、こじ開けられるおそれがあるため、防犯上の問題もあった。さらに、このシャッタ装置は、不要になった場合の解体が面倒であるとともに、その解体作業や解体後の廃材の処理に費用がかかるという問題もあった。
【０００７】
この発明は、このような従来の技術に存在する問題点に着目してなされたものである。その目的は、構造が簡単で安価に構成することができ、通常時には保守点検等の管理を必要とすることなく、壁部の開口部を閉鎖状態に保持することができるとともに、必要時には開口部を容易に開放させることができる建築物の外壁構造を提供することにある。
【課題を解決するための手段】
【０００８】
上記の目的を達成するために、この発明は、建築物の壁部に形成された開口部に開口枠を固定し、その開口枠の内側を閉鎖するように、開口枠内に複数の外壁パネルを着脱可能に取り付けたことを特徴としている。
【０００９】
従って、この発明の建築物の外壁構造においては、壁部の開口部にシャッタ装置を設けた従来構成に比較して、構造が簡単であるとともに、安価に構成することができる。また、通常時には従来のシャッタ装置のように保守点検等の管理を必要とすることなく、開口枠に外壁パネルを取り付け状態で、壁部の開口部を閉鎖状態に保持することができる。さらに、建築物の内部に大型機械や大型設備の搬入出等を行う必要がある場合には、開口枠から外壁パネルを取り外すことにより、開口部を容易に開放させることができる。
【００１０】
前記の構成において、前記開口枠の内周縁と外壁パネルの外周縁との間に防水手段を介在させるとよい。
前記の構成において、前記開口枠の対向する枠部間に前記外壁パネルの長さ方向と交差する方向に延びる下地材を着脱可能に架設し、その下地材に各外壁パネルを長さ方向の中間部において着脱可能に固定するとよい。
【００１１】
前記の構成において、前記複数の外壁パネルを、隣接対応する側端縁において互いに着脱可能に連結するとよい。
前記の構成において、前記外壁パネルの側端縁の連結部間に防水手段を介在させるとよい。
【発明の効果】
【００１２】
以上のように、この発明によれば、構造が簡単で安価に構成することができ、しかも、通常時には保守点検等の管理を必要とすることなく、壁部の開口部を閉鎖状態に保持することができるとともに、必要時には開口部を容易に開放させることができるという効果を発揮する。
【図面の簡単な説明】
【００１３】
【図１】一実施形態の建築物の外壁構造を建築物の室内側から見て示す要部背面図。
【図２】図１の２−２線における部分拡大断面図。
【図３】図２の状態から外壁パネル等を取り外して示す部分断面図。
【図４】図１の４−４線における部分拡大断面図。
【図５】図４の状態から外壁パネル等を取り外して示す部分断面図。
【図６】図１の６−６線における部分拡大断面図。
【図７】図６の状態から外壁パネルを分離して示す部分断面図。
【発明を実施するための形態】
【００１４】
以下に、この発明を具体化した建築物の外壁構造の一実施形態を、図面に従って説明する。
図１に示すように、この実施形態の建築物の外壁構造においては、コンクリートよりなる床面１１上に複数の鋼材よりなる支柱１２が所定間隔おきに立設されている。隣接する一対の支柱１２間の所定高さ位置には、鋼材よりなる梁材１３が架設されている。図１〜図５に示すように、支柱１２及び梁材１３の外面には、建築物の外壁を形成するためのパネル材等よりなる壁部１４が張設されている。隣接する一対の支柱１２間及び梁材１３と床面１１との間において壁部１４には、建築物の室内に大型機械や大型設備を搬入出するための正面形四角状の開口部１５が形成されている。
【００１５】
図１に示すように、前記壁部１４の開口部１５内には、鋼材よりなる開口枠１６が固定されている。この開口枠１６は、一対の側枠部１７と、両側枠部１７の上端部間に架設された上枠部１８と、両側枠部１７の下端部間に架設された下枠部１９とにより、四角枠状をなすように構成されている。図２〜図５に示すように、開口枠１６の室外側の側面内周縁には、後述する外壁パネル２９を取り付けるための段差状の取付凹部１６ａが形成されている。
【００１６】
図２及び図３に示すように、前記開口枠１６の両側枠部１７は、複数の固定金具２０を介して隣接する一対の支柱１２の内側面に溶接固定されている。図４及び図５に示すように、開口枠１６の上枠部１８は、複数の固定金具２１を介して梁材１３の下面に溶接固定されている。開口枠１６の下枠部１９は、床面１１上に埋め込みボルト２２を介して配設された固定板２３に掛止した状態で、床面１１と下枠部１９との間に防水モルタル２４を充填することにより、床面１１に対して固定されている。
【００１７】
図１に示すように、前記開口枠１６の上枠部１８と下枠部１９との間には、鋼材よりなる一対の下地材２５が着脱可能に架設されている。図２及び図４に示すように、各下地材２５の上下両端の両側部には各一対の取付金具２６が溶接固定されている。そして、これらの取付金具２６が複数のボルト２７及びナット２８にて上枠部１８及び下枠部１９に締め付け固定されることにより、下地材２５が上下両端において上枠部１８及び下枠部１９に着脱可能に取り付けられている。
【００１８】
図１、図２及び図４に示すように、前記開口枠１６の室外側の取付凹部１６ａには、複数の外壁パネル２９が下地材２５の延長方向と交差する横方向に延びるように配設されている。開口枠１６の両側枠部１７の内側面には、断面Ｌ字状のブラケット３０が複数のネジ３０ａにより着脱可能に固定されている。そして、各外壁パネル２９の長さ方向の両端外面からブラケット３０に複数のネジ３１が螺合されることにより、各外壁パネル２９が長さ方向の両端部において開口枠１６の両側枠部１７に着脱可能に固定されている。
【００１９】
また、図２及び図６に示すように、各外壁パネル２９の長さ方向の中間部外面から両下地材２５に複数のネジ３２が螺合されることにより、各外壁パネル２９が長さ方向の中間部において両下地材２５に着脱可能に固定されている。さらに、図４に示すように、複数の外壁パネル２９のうちで、最上部に配置された外壁パネル２９の上端縁の外面から開口枠１６の上枠部１８に複数のネジ３３が螺合されることにより、最上部の外壁パネル２９の上端縁が上枠部１８に着脱可能に固定されている。同様に、最下部に配置された外壁パネル２９の下端縁の外面から開口枠１６の下枠部１９に複数のネジ３３が螺合されることにより、最下部の外壁パネル２９の下端縁が下枠部１９に着脱可能に固定されている。
【００２０】
図６及び図７に示すように、前記各外壁パネル２９は、金属板よりなる表皮材２９ａと、その表皮材２９ａ内に充填された発泡合成樹脂よりなる断熱材２９ｂと、表皮材２９ａ内において断熱材２９ｂの外周に沿って配置された硬質合成樹脂よりなる縁枠材２９ｃとから構成されている。外壁パネル２９の長さ方向に延びる上下両側端縁のうちで、下側端縁には係合凹部３４及び覆い片３５が形成されている。これに対して、上側端縁には係合凹部３４に係合可能な係合突条３６及び凹溝３７が形成されている。凹溝３７内には、防水手段としてのシール材３８が収容されている。
【００２１】
そして、図１及び図６に示すように、複数の外壁パネル２９が並設された状態で、隣接する外壁パネル２９の対向する側端縁間において、係合突条３６が係合凹部３４に係合されることにより、両外壁パネル２９の対向する側端縁が互いに着脱可能に連結されている。この状態で、図２、図４及び図６に示すように、外壁パネル２９を取り付けるための前記各ネジ３１，３２，３３の頭部が、覆い片３５によって室外側に露出しないように覆われている。また、図６に示すように、前記凹溝３７内のシール材３８が、隣接する外壁パネル２９の連結端縁間に圧縮状態で介在されて、外壁パネル２９の連結端縁間が水密状態に保持されている。
【００２２】
図２及び図３に示すように、前記開口枠１６の取付凹部１６ａ内には、左右一対のチャネル材３９が両側枠部１７に沿って固定されている。各チャネル材３９内には、防水手段としてのシール材４０が収容配置されている。そして、開口枠１６に複数の外壁パネル２９が配設された状態で、各外壁パネル２９の両端部がシール材４０に圧接されている。この状態において、各外壁パネル２９の両端部と開口枠１６の両側枠部１７との間の隙間には、防水手段としてのコーキング材４１が充填されている。これにより、各外壁パネル２９の両端部と開口枠１６の両側枠部１７との間が、シール材４０及びコーキング材４１にて水密状態に保持されている。
【００２３】
図４及び図５に示すように、前記開口枠１６の上枠部１８における室外側の外側上部には、上部水切り板４２が被覆装着されている。建築物の壁部１４における開口部１５の上側内面と上部水切り板４２との間には、コーキング材４３が充填されている。図２及び図３に示すように、開口部１５の左右両側内面と開口枠１６の両側枠部１７との間にも、同様のコーキング材４３が充填されている。図４及び図５に示すように、開口枠１６の下枠部１９における室外側の外側下部には、下部水切り板４４が延長配置されている。下部水切り板４４内において、床面１１の室外側端部にはコーキング材４５が充填されている。また、下部水切り板４４と下枠部１９との間の隙間にも、コーキング材４６が充填されている。
【００２４】
図４及び図５に示すように、前記開口枠１６の取付凹部１６ａ内には、上下一対の中間水切り板４７，４８が上枠部１８及び下枠部１９に沿って固定されている。そして、これらの中間水切り板４７，４８により、最上部に配置された外壁パネル２９の上端縁、及び最下部に配置された外壁パネル２９の下端縁が覆われるようになっている。開口枠１６の取付凹部１６ａ内において、上方の中間水切り板４７と上枠部１８との間、下方の中間水切り板４８と下枠部１９との間には、防水手段としてのコーキング材４９が充填されている。
【００２５】
また、前記最上部の外壁パネル２９の上端縁と上方の中間水切り板４７との間、及び最下部の外壁パネル２９の下端縁と下方の中間水切り板４８との間にも、防水手段としてのコーキング材５０が充填されている。そして、これらのコーキング材４９，５０によって、最上部の外壁パネル２９の上端縁と上枠部１８との間、及び最下部の外壁パネル２９の下端縁と下枠部１９との間が、水密状態に保持されている。
【００２６】
次に、前記のように構成された建築物の外壁構造の作用を説明する。
さて、この建築物の外壁構造においては、通常時には図１、図２及び図４に示すように、開口部１５内の開口枠１６の上下両枠部１８，１９間に一対の下地材２５が取り付けられている。それとともに、開口枠１６内に複数の外壁パネル２９が並設されて、複数のネジ３１〜３３により、開口枠１６の各枠部１７〜１９及び下地材２５に固定され、開口枠１６の内側が閉鎖された状態にある。従って、保守点検等の管理を行う必要がなく、壁部１４の開口部１５を閉鎖状態に保つことができる。また、この閉鎖状態においては、開口枠１６の内周縁と外壁パネル２９の外周縁との間にシール材４０及びコーキング材４１，４９，５０が介在されているため、その部分から室内に雨水等が浸入するおそれもない。
【００２７】
そして、建築物の内部に大型機械や大型設備の搬入出等を行う場合には、前記ネジ３１〜３３を緩めて、複数の外壁パネル２９を開口枠１６の各枠部１７〜１９及び下地材２５から取り外す。また、ネジ３０ａを緩めて、開口枠１６の両側枠部１７の内側面からブラケット３０を取り外す。さらに、ボルト２７を緩めて、両下地材２５を開口枠１６の上下両枠部１８，１９間から取り外す。これにより、図３及び図５に示すように、開口枠１６の内側が完全に開放される。この状態で、図５に鎖線で示すように、開口枠１６の下枠部１９の室外側及び室内側にスロープ５１を設置すれば、開口枠１６の内側を通って建築物の内部に、大型機械や大型設備を容易に搬入出することができる。
【００２８】
従って、この実施形態によれば、以下のような効果を得ることができる。
（１）  この建築物の外壁構造においては、建築物の壁部１４に形成された開口部１５に開口枠１６が固定され、その開口枠１６の内側を閉鎖するように、開口枠１６内に複数の外壁パネル２９が着脱可能に取り付けられている。このため、壁部の開口部にシャッタ装置を設けた従来構成に比較して、構造が簡単であるとともに、安価に構成することができる。また、通常時には従来のシャッタ装置のように保守点検等の管理を行う必要がなく、開口枠１６に外壁パネル２９を取り付け状態で、壁部１４の開口部１５を閉鎖状態に保持することができる。よって、通常時の管理が簡単であるとともに、防犯上の効果もある。さらに、建築物の内部に大型機械や大型設備の搬入出等を行う必要がある場合には、開口枠１６から外壁パネル２９を取り外すことにより、開口部１５を容易に開放させることができる。
【００２９】
（２）  この建築物の外壁構造においては、前記開口枠１６の内周縁と外壁パネル２９の外周縁との間に防水手段としてのシール材４０及びコーキング材４１，４９，５０が介在されている。このため、開口枠１６の内周縁と外壁パネル２９の外周縁との間を水密状態に保持することができて、その部分から室内に雨水等が浸入するおそれを防止することができる。
【００３０】
（３）  この建築物の外壁構造においては、前記開口枠１６の対向する上下枠部１８，１９間に、外壁パネル２９の長さ方向と交差する方向に延びる下地材２５が着脱可能に架設されている。そして、この下地材２５に各外壁パネル２９が長さ方向の中間部において着脱可能に固定されている。このため、外壁パネル２９の長さ寸法が大きい場合でも、開口枠１６に対する外壁パネル２９の取り付け状態で、その外壁パネル２９を長さ方向の中間部において下地材２５により安定に固定支持することができる。また、開口枠１６から外壁パネル２９を取り外す際には、下地材２５も開口枠１６から取り外すことができるため、開口枠１６の内側全体を大きく開放させることができる。
【００３１】
（４）  この建築物の外壁構造においては、前記複数の外壁パネル２９が隣接対応する側端縁において、係合凹部３４と係合突条３６と係合により互いに着脱可能に連結されている。このため、開口枠１６に対する外壁パネル２９の取り付け状態で、隣接配置された外壁パネル２９の側端縁同士を堅固に連結保持することができて、その側端縁間に隙間が生じるおそれを抑制することができる。よって、外壁パネル２９がこじ開けられる等のおそれを防止することができる。
【００３２】
（５）  この建築物の外壁構造においては、前記外壁パネル２９の側端縁の連結部間に防水手段としてのシール材３８が介在されている。このため、隣接配置された外壁パネル２９の側端縁間の連結部を水密状態に保持することができて、その部分から室内に雨水等が浸入するおそれを防止することができる。
【００３３】
（変更例）
なお、この実施形態は、次のように変更して具体化することも可能である。
・  前記実施形態において、下地材２５を１本または３本以上の複数本設けること。
【００３４】
・  前記実施形態において、外壁パネル２９を開口枠１６に対して上下方向に延びるように取り付けること。
・  前記外壁パネル２９を上下方向に延びるように取り付けた構成において、下地材２５を開口枠１６の両側枠部１７間に横方向へ延びるように架設すること。
【符号の説明】
【００３５】
１４…建築物の壁部、１５…開口部、１６…開口枠、２５…下地材、２６…取付金具、２９…外壁パネル、３１，３２，３３…ネジ、３４…係合凹部、３６…係合突条、３８，４０…防水手段としてのシール材、４１，４９，５０…防水手段としてのコーキング材。
【図１】
2011184986.tif 000003
【図２】
2011184986.tif 000004
【図３】
2011184986.tif 000005
【図４】
2011184986.tif 000006
【図５】
2011184986.tif 000007
【図６】
2011184986.tif 000008
【図７】
2011184986.tif 000009